(57)【特許請求の範囲】
【請求項１】
接合金具主体が、底板と、その上面に設立した、窓孔を開設してなる芯板とを備えていること、
打込み部材が、板バネを、膨らみを外方に向けた状態で板バネ保持枠の一側面の板バネ保持スペースに挿入するとともに、該板バネ保持枠の他側面に嵌合溝を形成してなること、
横架材が、その端部に、上記接合金具主体を受入する縦溝および扁平凹処と、上記縦溝を貫通して該横架材の両側面に開口する打込み部材受入孔とを連続させてなる嵌合空処を備えていること、
および、上記横架材が、上記嵌合空処を上記接合金具主体に嵌合させた状態でその底板上に乗載され、上記打込み部材が、ほぼ一致した上記打込み部材受入孔と上記窓孔とに、上記板バネの側を該横架材の接合面側に向け、該板バネを上記打込み部材受入孔の内壁面に押圧させながら打ち込まれ、該打込み部材受入孔内に突出している上記窓孔の縁部に上記嵌合溝を嵌合させて、上記内壁面と上記縁部との間に挟持されていることを特徴とする木造建築物の横架材接合構造。
【請求項２】
接合金具主体が、底板と、その上面にそれの中心線に沿って設立した、中央部に窓孔を開設してなる芯板と、それら両板の一側端部に起立する取付け板とからなること、
打込み部材が、鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなること、
横架材が、その端部に、上記接合金具主体を受入する大きさと形状の縦溝および扁平凹処と、上記縦溝を貫通して該横架材の両側面に開口する打込み部材受入孔とを連続させてなる嵌合空処を備えていること、
および、上記接合金具主体が取付け板によって柱に取り付けられるとともに、上記横架材が、上記嵌合空処を上記接合金具主体に嵌合させた状態でその底板上に乗載され、上記打込み部材が、ほぼ一致した上記打込み部材受入孔と上記窓孔とに、上記板バネの側を該横架材の接合面側に向け、該板バネを上記打込み部材受入孔の内壁面に押圧させながら打ち込まれ、該打込み部材受入孔内に突出している上記窓孔の縁部に上記嵌合溝を嵌合させて、上記内壁面と上記縁部との間に挟持され、上記板バネが上記内壁面を押圧することにより、上記横架材の接合面が上記柱の側面に圧接されていることを特徴とする木造建築物の横架材接合構造。
【請求項３】
接合金具主体が、長方形状の底板の中心線に沿って設立した芯板の左右２箇所に窓孔を開設してなる左右対称形状のものであること、
打込み部材が、鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなること、
横架材が、その端部に、上記接合金具主体の半分を受入する大きさと形状の縦溝および扁平凹処と、上記縦溝を貫通して該横架材の両側面に開口する打込み部材受入孔とを連続させてなる嵌合空処を備えていること、
および、上記横架材が、上記嵌合空処を上記接合金具主体に嵌合させた状態でその底板上に乗載され、上記打込み部材が、ほぼ一致した上記打込み部材受入孔と上記窓孔とに、上記板バネの側を該横架材の接合面側に向け、該板バネを上記打込み部材受入孔の内壁面に押圧させながら打ち込まれ、該打込み部材受入孔内に突出している上記窓孔の縁部に上記嵌合溝を嵌合させて、上記内壁面と上記縁部との間に挟持され、上記板バネが上記内壁面を押圧することにより、上記横架材の接合面が互いに圧接されていることを特徴とする木造建築物の横架材接合構造。
【請求項４】
接合金具主体が、十字に組んだ２枚の芯板を、その両端部を突出させた状態で柱の内部に嵌合収納するとともに、上記各芯板の突出部分の中央に窓孔を開設し、それらの突出部分の下端に底板を取り付けてなること、
打込み部材が、鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなること、
横架材が、その端部に、上記接合金具主体の突出部分を受入する大きさと形状の縦溝および扁平凹処と、上記縦溝を貫通して該横架材の両側面に開口する打込み部材受入孔とを連続させてなる嵌合空処を備えていること、
および、上記横架材が、上記嵌合空処を上記接合金具主体に嵌合させた状態でその底板上に乗載され、上記打込み部材が、ほぼ一致した上記打込み部材受入孔と上記窓孔とに、上記板バネの側を該横架材の接合面側に向け、該板バネを上記打込み部材受入孔の内壁面に押圧させながら打ち込まれ、該打込み部材受入孔内に突出している上記窓孔の縁部に上記嵌合溝を嵌合させて、上記内壁面と上記縁部との間に挟持され、上記板バネが上記内壁面を押圧することにより上記横架材の接合面が上記柱の側面に圧接されていることを特徴とする木造建築物の横架材接合構造。
【請求項５】
底板と、その上面にそれの中心線に沿って設立した、中央部に窓孔を開設してなる芯板と、それら両板の一側端部に起立する取付け板とからなる接合金具主体と、
鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなり、上記窓孔に打ち込まれる打込み部材とからなる木造建築物の横架材接合用具。
【請求項６】
長方形状の底板の中心線に沿って設立した芯板の左右２箇所に窓孔を開設してなる左右対称形状の接合金具主体と、
鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなり、上記窓孔に打ち込まれる打込み部材とからなる木造建築物の横架材接合用具。
【請求項７】
十字に組んだ２枚の芯板を、その両端部を突出させた状態で柱に嵌合収納するとともに、上記各芯板の突出部分の中央に窓孔を開設し、それらの突出部分の下端に底板を取り付けてなる接合金具主体と、
鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなり、上記窓孔に打ち込まれる打込み部材とからなる木造建築物の横架材接合用具。
【請求項８】
接合金具主体が、中央部に窓孔を開設した芯板の一側端を、取付け板の中心線に沿わせて固着してなること、
打込み部材が、鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなること、
柱が、その下端部に、上記接合金具主体を受入する大きさと形状の縦溝と、その縦溝を貫通して該横架材の両側面に開口する打込み部材受入孔とを連続させてなる嵌合空処を備えていること、
および、上記接合金具主体が、取付け板によって、芯板を垂直に起立させた状態で土台の上面に取り付けられるとともに、上記柱が、上記嵌合空処を上記接合金具主体に嵌合させた状態で、該土台上に乗載され、上記打込み部材が、ほぼ一致した上記打込み部材受入孔と上記窓孔とに、上記板バネの側を該柱の下端面側に向け、該板バネを上記打込み部材受入孔の内壁面に押圧させながら打ち込まれ、該打込み部材受入孔内に突出している上記窓孔の縁部に上記嵌合溝を嵌合させて、上記内壁面と上記縁部との間に挟持され、上記板バネが上記内壁面を押圧することにより、上記柱の下端面が上記土台の上面に圧接されていることを特徴とする木造建築物の柱・土台接合構造。
【請求項９】
中央部に窓孔を開設した芯板の一側端を、取付け板の中心線に沿わせて固着してなる接合金具主体と、
鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなり、上記窓孔に打ち込まれる打込み部材とからなる木造建築物の柱・土台接合用具。
【発明の詳細な説明】
【０００１】
【発明の属する技術分野】
本発明は木造建築物における梁や桁等の横架材の接合構造、柱・土台接合構造およびその用具に関する。
【０００２】
【従来の技術】
【０００３】
木造建築物における梁や桁等の横架材と柱との接合構造として、たとえば、本出願人の提案した、特許第２７３９４６２号公報に掲載されているものがある。
それは、図１２，１３により説明すると次のとおりのものである。
【０００４】
Ａは、柱Ｂと梁（横架材）Ｃとを接合する接合金具主体で、それは長方形状の底板１と、その上面に中心線に沿って垂直に設立され、中央部に横長方形状の楔窓孔２を開設した、同じく長方形状の芯板３と、それら底板１および芯板３の長手方向一側端部に起立する、ボルト挿通孔４……を穿設した取付け板５とからなる。
【０００５】
６は、柱Ｂの一側面の梁接合部位に形成した凹処、７……はその凹処６内に反対面に貫通させて穿設してあるボルト挿通孔であり、上記接合金具主体Ａは、この凹処６に取付け板５を嵌合させ、ボルト挿通孔４……および７……に挿通したボルト８……にナット８’……を螺合緊締することによって柱Ｂに固定される。
【０００６】
９は、梁Ｃの端部に設けられた嵌合空処で、それは、上記接合金具主体Ａの芯板３に嵌合する大きさと形状の、該梁Ｃの上面および接合面に開口した縦溝１０と、上記接合金具主体Ａの底板１に嵌合する大きさと形状の、該梁Ｃの下面に開口した扁平凹処１１と、上記縦溝１０を貫通し、梁Ｃの両側面に開口した楔挿通横孔１２とを連続させてなる。
【０００７】
この梁Ｃは、上記柱Ｂに固定された接合金具主体Ａの底板１の上に、その端部を乗載した状態、すなわち、該接合金具主体Ａに、その嵌合空処９を嵌合させた状態で、ほぼ対応一致した楔窓孔２と楔挿通横孔１２とに、楔案内片１３と座金部材たるワッシャ１４を嵌入し、その後、木製の打込み楔１５を打ち込むことによって上記柱Ｂに固定されるようになっている。
【０００８】
【発明が解決しようとする課題】
したがって、梁Ｃを柱Ｂに接合する際には、まず楔窓孔２および楔挿通横孔１２の一側に、楔案内片１３とワッシャ１４を嵌入させておき、その後、そこに形成された余裕空間に打込み楔１５を打ち込むという手順を経る必要があり、しかも、打込み楔１５の打ち込みの際に上記ワッシャ１４がずれないようにしなければならないので、接合作業が煩雑である。
また、この接合構造は、上記打込み楔１５を緊密に打ち込んで梁Ｃを柱Ｂの側面に常時圧接させ、これらを互いに固定したものであり、梁が柱に対して揺動・回動できる余裕はなく、地震等の際に外部から加わる力を緩衝するような構造にはなっていないから、力が加わったときに壊れるおそれがある。
【０００９】
そこで、本発明は、容易に完成することができるとともに、地震等により力が加わっても壊れない横架材の接合構造、柱・土台接合構造およびその用具を提供することを目的とする。
【００１０】
【課題を解決するための手段】
請求項１に係る本発明木造建築物の横架材接合構造は次の構成からなる。
（１）接合金具主体２０，６２’，７０”が、底板２１，６０，７３……と、その上面に設立した、窓孔２４，６２，６２，７２……を開設してなる芯板２２，６１，７０，７０’とを備えている。
（２）打込み部材２６……が、板バネ２７を、膨らみを外方に向けた状態で板バネ保持枠２８の一側面の板バネ保持スペース３２に挿入するとともに、該板バネ保持枠２８の他側面に嵌合溝３４を形成してなる。
（３）横架材４１……が、その端部４１’に、上記接合金具主体２０，６２’，７０”を受入する縦溝４４および扁平凹処４５と、上記縦溝４４を貫通して該横架材４１の両側面に開口する打込み部材受入孔４６とを連続させてなる嵌合空処４７を備えている。
（４）上記横架材４１……が、上記嵌合空処４７……を上記接合金具主体２０，６２’，７０”に嵌合させた状態でその底板２１，６０，７３……上に乗載され、上記打込み部材２６……が、ほぼ一致した上記打込み部材受入孔４６……と上記窓孔２４，６２，６２，７２……とに、上記板バネ２７……の側を該横架材４１……の接合面４８……側に向け、該板バネ２７……を上記打込み部材受入孔４６……の内壁面４６’……に押圧させながら打ち込まれ、該打込み部材受入孔４６……内に突出している上記窓孔２４，６２，６２，７２……の縁部２４’……に上記嵌合溝３４……を嵌合させて、上記内壁面４６’……と上記縁部２４’……との間に挟持されている。
【００１１】
請求項２に係る本発明木造建築物の横架材接合構造は次の構成からなる。
（１）接合金具主体２０が、底板２１と、その上面にそれの中心線に沿って設立した、中央部に窓孔２４を開設してなる芯板２２と、それら両板２１，２２の一側端部に起立する取付け板２３とからなる。
（２）打込み部材２６が、鋼製の方形板を円弧状に湾曲させてなる板バネ２７を、板バネ保持枠２８の一側面の、中央を膨らませた湾曲面３１と、その湾曲面３１の左右端から該湾曲面３１の中央外方に向けて突出させた引掛片２９，３０との間に囲繞形成される板バネ保持スペース３２に、膨らみを外方に向けた状態で挿入するとともに、該板バネ保持枠２８の他側面に左右に斜面３３’，３３’を有する凸部３３を突出させ、その頂部に嵌合溝３４を形成してなる。
（３）横架材４１が、その端部４１’に、上記接合金具主体２０を受入する大きさと形状の縦溝４４および扁平凹処４５と、上記縦溝４４を貫通して該横架材４１の両側面に開口する打込み部材受入孔４６とを連続させてなる嵌合空処４７を備えている。
（４）上記接合金具主体２０が取付け板２５によって柱４０に取り付けられるとともに、上記横架材４１が、上記嵌合空処４７を上記接合金具主体２０に嵌合させた状態でその底板２１上に乗載され、上記打込み部材２６が、ほぼ一致した上記打込み部材受入孔４６と上記窓孔２４とに、上記板バネ２７の側を該横架材４１の接合面４８側に向け、該板バネ２７を上記打込み部材受入孔４６の内壁面４６’に押圧させながら打ち込まれ、該打込み部材受入孔４６内に突出している上記窓孔２４の縁部２４’に上記嵌合溝３４を嵌合させて、上記内壁面４６’と上記縁部２４’との間に挟持され、上記板バネ２７が上記内壁面４６’を押圧することにより、上記横架材４１の接合面４８が上記柱４０の側面に圧接されている。
【００１２】
請求項３に係る本発明木造建築物の横架材接合構造は次の構成からなる。
（１）接合金具主体６２’が、長方形状の底板６０の中心線に沿って設立した芯板６１の左右２箇所に窓孔６２，６２を開設してなる左右対称形状のものである。
（２）打込み部材２６，２６が、鋼製の方形板を円弧状に湾曲させてなる板バネ２７を、板バネ保持枠２８の一側面の、中央を膨らませた湾曲面３１と、その湾曲面３１の左右端から該湾曲面３１の中央外方に向けて突出させた引掛片２９，３０との間に囲繞形成される板バネ保持スペース３２に、膨らみを外方に向けた状態で挿入するとともに、該板バネ保持枠２８の他側面に左右に斜面３３’，３３’を有する凸部３３を突出させ、その頂部に嵌合溝３４を形成してなる。
（３）横架材４１，４１が、その端部４１’に、上記接合金具主体６２’の半分を受入する大きさと形状の縦溝４４および扁平凹処４５と、上記縦溝４４を貫通して該横架材４１の両側面に開口する打込み部材受入孔４６とを連続させてなる嵌合空処４７を備えている。
（４）上記横架材４１，４１が、上記嵌合空処４７，４７を上記接合金具主体６２’に嵌合させた状態でその底板６０，６０上に乗載され、上記打込み部材２６，２６が、ほぼ一致した上記打込み部材受入孔４６と上記窓孔６２，６２とに、上記板バネ２７，２７の側を該横架材４１，４１の接合面４８，４８側に向け、該板バネ２７，２７を上記打込み部材受入孔４６，４６の内壁面４６’，４６’に押圧させながら打ち込まれ、該打込み部材受入孔４６，４６内に突出している上記窓孔６２，６２の縁部に上記嵌合溝３４，３４を嵌合させて、上記内壁面４６’，４６’と上記縁部２４’，２４’との間に挟持され、上記板バネ２７，２７が上記内壁面４６’，４６’を押圧することにより、上記横架材４１，４１の接合面４８，４８が互いに圧接されている。
【００１３】
請求項４に係る本発明木造建築物の横架材接合構造は次の構成からなる。
（１）接合金具主体７０”が、十字に組んだ２枚の芯板７０，７０’を、その両端部を突出させた状態で柱４０’の内部に嵌合収納するとともに、上記各芯板７０，７０’の突出部分の中央に窓孔７２……を開設し、それらの突出部分の下端に底板７３……を取り付けてなる。
（２）打込み部材２６……が、鋼製の方形板を円弧状に湾曲させてなる板バネ２７を、板バネ保持枠２８の一側面の、中央を膨らませた湾曲面３１と、その湾曲面３１の左右端から該湾曲面３１の中央外方に向けて突出させた引掛片２９，３０との間に囲繞形成される板バネ保持スペース３２に、膨らみを外方に向けた状態で挿入するとともに、該板バネ保持枠２８の他側面に左右に斜面３３’，３３’を有する凸部３３を突出させ、その頂部に嵌合溝３４を形成してなる。
（３）横架材４１……が、その端部４１’に、上記接合金具主体７０”の突出部分を受入する大きさと形状の縦溝４４および扁平凹処４５と、上記縦溝４４を貫通して該横架材４１の両側面に開口する打込み部材受入孔４６とを連続させてなる嵌合空処４７を備えている。
（４）上記横架材４１……が、上記嵌合空処４７……を上記接合金具主体７０”に嵌合させた状態でその底板７３……上に乗載され、上記打込み部材２６……が、ほぼ一致した上記打込み部材受入孔４６……と上記窓孔７２……とに、上記板バネ２７……の側を該横架材４１……の接合面４８……側に向け、上記板バネ２７……を上記打込み部材受入孔４６……の内壁面４６’……に押圧させながら打ち込まれ、該打込み部材受入孔４６……内に突出している上記窓孔７２……の縁部に上記嵌合溝３４……を嵌合させて、上記内壁面４６’……と上記縁部２４’……との間に挟持され、上記板バネ２７……が上記内壁面４６’……を押圧することにより上記横架材４１……の接合面４８……が上記柱４０’の側面に圧接されている。
【００１４】
請求項５に係る本発明木造建築物の横架材接合用具は、
（１） 底板２１と、その上面にそれの中心線に沿って設立した、中央部に窓孔２４を開設してなる芯板２２と、それら両板２１，２２の一側端部に起立する取付け板２３とからなる接合金具主体２０と、
（２）鋼製の方形板を円弧状に湾曲させてなる板バネ２７を、板バネ保持枠２８の一側面の、中央を膨らませた湾曲面３１と、その湾曲面３１の左右端から該湾曲面３１の中央外方に向けて突出させた引掛片２９，３０との間に囲繞形成される板バネ保持スペース３２に、膨らみを外方に向けた状態で挿入するとともに、該板バネ保持枠２８の他側面に左右に斜面３３’，３３’を有する凸部３３を突出させ、その頂部に嵌合溝３４を形成してなり、上記窓孔２４に打ち込まれる打込み部材２６とからなる。
【００１５】
請求項６に係る本発明木造建築物の横架材接合用具は、
（１）長方形状の底板６０の中心線に沿って設立した芯板６１の左右２箇所に窓孔６２，６２を開設してなる左右対称形状の接合金具主体６２’と、
（２）鋼製の方形板を円弧状に湾曲させてなる板バネ２７を、板バネ保持枠２８の一側面の、中央を膨らませた湾曲面３１と、その湾曲面３１の左右端から該湾曲面３１の中央外方に向けて突出させた引掛片２９，３０との間に囲繞形成される板バネ保持スペース３２に、膨らみを外方に向けた状態で挿入するとともに、該板バネ保持枠２８の他側面に左右に斜面３３’，３３’を有する凸部３３を突出させ、その頂部に嵌合溝３４を形成してなり、上記窓孔６２に打ち込まれる打込み部材２６，２６とからなる。
【００１６】
請求項７に係る本発明木造建築物の横架材接合用具は、
（１）十字に組んだ２枚の芯板７０，７０’を、その両端部を突出させた状態で柱４０’に嵌合収納するとともに、上記各芯板７０，７０’の突出部分の中央に窓孔７２……を開設し、それらの突出部分の下端に底板７３……を取り付けてなる接合金具主体７０”と、
（２）鋼製の方形板を円弧状に湾曲させてなる板バネ２７を、板バネ保持枠２８の一側面の、中央を膨らませた湾曲面３１と、その湾曲面３１の左右端から該湾曲面３１の中央外方に向けて突出させた引掛片２９，３０との間に囲繞形成される板バネ保持スペース３２に、膨らみを外方に向けた状態で挿入するとともに、該板バネ保持枠２８の他側面に左右に斜面３３’，３３’を有する凸部３３を突出させ、その頂部に嵌合溝３４を形成してなり、上記窓孔７２に打ち込まれる打込み部材２６……とからなる。
【００１７】
請求項８に係る本発明木造建築物の柱・土台接合構造は次の構成からなる。
（１）接合金具主体が、中央部に窓孔を開設した芯板の一側端を、取付け板の中心線に沿わせて固着してなる。
（２）打込み部材２６が、鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなる。
（３）柱が、その下端部に、上記接合金具主体を受入する大きさと形状の縦溝と、その縦溝を貫通して該横架材の両側面に開口する打込み部材受入孔とを連続させてなる嵌合空処を備えている。
（４）上記接合金具主体が、取付け板によって、芯板を垂直に起立させた状態で土台の上面に取り付けられるとともに、上記柱が、上記嵌合空処を上記接合金具主体に嵌合させた状態で、該土台上に乗載され、上記打込み部材２６が、ほぼ一致した上記打込み部材受入孔と上記窓孔とに、上記板バネの側を該柱の下端面側に向け、該板バネを上記打込み部材受入孔の内壁面に押圧させながら打ち込まれ、該打込み部材受入孔内に突出している上記窓孔の縁部に上記嵌合溝を嵌合させて、上記内壁面と上記縁部との間に挟持され、上記板バネが上記内壁面を押圧することにより、上記柱の下端面が上記土台の上面に圧接されている。
【００１８】
請求項９に係る本発明木造建築物の柱・土台接合用具は、
（１）中央部に窓孔を開設した芯板の一側端を、取付け板の中心線に沿わせて固着してなる接合金具主体と、
（２）鋼製の方形板を円弧状に湾曲させてなる板バネを、板バネ保持枠の一側面の、中央を膨らませた湾曲面と、その湾曲面の左右端から該湾曲面の中央外方に向けて突出させた引掛片との間に囲繞形成される板バネ保持スペースに、膨らみを外方に向けた状態で挿入するとともに、該板バネ保持枠の他側面に左右に斜面を有する凸部を突出させ、その頂部に嵌合溝を形成してなり、上記窓孔に打ち込まれる打込み部材２６とからなる。
【００１９】
【発明の実施の形態】
以下には、本発明を柱と梁（横架材）との接合に適用した第１実施形態について図１〜９を参照し詳しく述べる。
【００２０】
２０は、接合金具主体で、それは、長方形状の底板２１と、その上面にそれの中心線に沿って設立した、同じく長方形状の芯板２２と、これら両板２１，２２の一側端部に起立する取付け板２３とからなる。
上記芯板２２には、中央部に方形状の窓孔２４を開設してあり、また、上記取付け板２３には、上記芯板２２の両側に位置する部分に、それぞれ所要個数のボルト挿通孔２５……を穿設してある。
【００２１】
２６は、打込み部材で、それは、板バネ２７と板バネ保持枠２８とからなる。板バネ２７は、鋼製の方形板を円弧状に湾曲させてなるものである。
板バネ保持枠２８の一側面には、中央を膨らませた湾曲面３１が形成されている。その湾曲面３１の左右端には、該湾曲面３１の中央外方に向けて突出するとともに、その突出した各先端に切欠き２９”，３０”を形成し略コ字状および逆略コ字状とした引掛片２９，３０が互いに対向させて設けられていて、上記湾曲面３１と該引掛片２９，３０との間に板バネ保持スペース３２が囲繞形成されている。
【００２２】
上記引掛片２９は、引掛片３０よりも大きく突出しており、したがってまた、該引掛片２９と湾曲面３１との間に形成される溝２９’は、引掛片３０と湾曲面３１との間に形成される溝３０’よりも深くなっている。
また、上記溝２９’，３０’の上下端は端板３５……によって塞がれている。
【００２３】
上記板バネ２７は、まずその一端を深い方の溝２９’に挿入し、次に他端を浅い方の溝３０’に押し込んで挿入することによって、膨らみを外方に向けた状態で、上記板バネ保持スペース３２に保持される。湾曲面３１の曲率は、板バネ２７の曲率よりも小さくなっており、該湾曲面３１は、上記板バネ２７がそこに当接するまで押圧されたときに、それ以上変形しないようにするためのストッパーとして働く。
【００２４】
一方、板バネ保持枠２８の他側面の中央部には、左右に斜面３３’，３３’を有する凸部３３が突出していて、その凸部３３の頂部には嵌合溝３４が形成されている。
【００２５】
４０は柱で、その一側面には上記接合金具主体２０の取付け板２３をちょうど嵌合する大きさと深さの凹部４２が形成してあり、その凹部４２内には、上記取付け板２３のボルト挿通孔２５……と対応する配置で、反対面に貫通したボルト挿通孔４３……を穿設してある。
【００２６】
４１は上記柱４０に接合しようとする梁で、その端部４１’には、上記接合金具主体２０の芯板２２を受入する大きさと形状で、該梁４１の上面および接合面４８に開口する縦溝４４と、上記接合金具主体２０の底板２１を受入する大きさと形状で、該梁４１の下面および接合面４８に開口する扁平凹処４５と、上記縦溝４４を貫通して該梁４１の両側面に開口する打込み部材受入孔４６とを連続させてなる嵌合空処４７を備えている。
また、接合面４８には、柱４０に挿通され接合金具主体２０を固定している後記のボルト４９……の先端およびナット５０……を受入するボルト受入凹処５１……を形成している。
【００２７】
本実施形態に係る木造建築物の横架材接合構造は、上記の各用具を用いて以下の手順で完成される。
まず、接合金具主体２０の取付け板２３を柱４０の凹部４２に嵌合させ、互いに一致したボルト挿通孔２５……および４３……にボルト４９……を挿通し、その先端にナット５０を螺合緊締することにより、該接合金具主体２０を柱４０に固定する。
上記凹部４２の深さは、上記取付け板２３の厚さと等しいので、接合金具主体２０は、柱４０の側面と、取付け板２３の表面とが面一となった状態で固定されることとなる。
【００２８】
次に、接合金具主体２０の底板２１に、梁４１の端部４１’を乗載する。これは、上記接合金具主体２０の芯板２２と、梁４１の縦溝４４との位置を合わせて、上記端部４１’を上方または側方から挿し込むことによって行う。
梁４１を、その接合面４８が柱４０の側面に当接するところまで押し込むと、該梁４１の打込み部材受入孔４６は、芯板２２の窓孔２４にほぼ一致する状態となる（図５）。
【００２９】
続いて、ほぼ一致している上記打込み部材受入孔４６と窓孔２４に、上記打込み部材２６を、以下のように打ち込む（図６，７）。
打込み部材２６の上記一側面、すなわち板バネ２７の側を梁４１の接合面４８側に向け、その板バネ２７を該打込み部材受入孔４６の内壁面４６’に押圧させつつ、側方から打込み部材受入孔４６に打ち込んでゆく。
芯板２２の窓孔２４の縁部２４’は、梁４１の打込み部材受入孔４６内に突出しているので、上記打込み部材２６を嵌入して行くと、該打込み部材２６の上記他側面の斜面３３’が、上記縁部２４’に当接する。
この状態からさらに打ち込まれると、該打込み部材２６は接合面４８側に強制的に移動され、板バネ２７を変形させながら嵌入してゆく。そして、上記縁部２４’に、打込み部材２６の嵌合溝３４が嵌合して、固定され、横架材接合構造が完成する。
【００３０】
このように、本実施形態に係る横架材の接合は、接合金具主体２０に梁４１の端部４１’を乗載して、打込み部材２６を打ち込むだけで、簡単に完成させることができる。
【００３１】
接合構造を完成すると、打込み部材２６は、接合金具主体２０の芯板２２の窓孔２４の縁部２４’と、梁４１の打込み部材受入孔４６の内壁面４６’との間に挟持される状態となり、内壁面４６’が板バネ２７によって押圧されるので、梁４１は柱４０の方向に付勢され、接合面４８が柱４０の側面にしっかりと圧接される。したがって、梁４１と柱４０とが確実に接合された状態となる。
また、上記板バネ２７は、地震等により力が加えられた際には変形して振動や衝撃を吸収し和らげる緩衝材として働くので、接合構造が壊れることがない。加わった力が取り除かれたときには、該板バネ２７の復元力によって、接合面４８はふたたび柱４０の側面に圧接されるので、地震等の後にも接合が緩むことはない。
【００３２】
すなわち、梁４１を、柱４０から引き離したり、該梁４１の端部４１’を中心に上下方向に回動させたりする力が加わった場合には、梁４１の接合面４８と柱４０の側面の間に隙間αがあくのに伴い（図８）、板バネ２７が変形して、衝撃を吸収する。また、同時に該板バネ２７の復元力によって内壁面４６’が押圧されるので、加わった力が取り除かれると同時に、梁４１はふたたび柱４０の側面に圧接させられる。
同様に、梁４１を、その端部４１’を中心に左右方向に回動させる力が加わったときにも、隙間βがあくのに伴い（図９）、板バネ２７が変形して、衝撃を吸収する。また、同時に該板バネ２７の復元力によって内壁面４６’が押圧されるので、加わった力が取り除かれると同時に、梁４１はふたたび柱４０の側面に圧接させられる。
【００３３】
さらに、該打込み部材２６は、板バネ保持枠２８の嵌合溝３４が、芯板２２に嵌合しているから、上記のような力が加わっても、打込み部材受入孔４６から抜けてしまうことがない。
【００３４】
次に、本発明を梁（横架材）同士の接合に適用した第２実施形態について図１０により説明する。本実施形態では、梁および打込み部材は上記第１実施形態のものと同一なので、以下、同一の部分には同一の符号を付し、上記第１実施形態と異なる部分についてのみ簡単に述べる。
本実施形態の横架材接合構造は、長方形状の底板６０の中心線に沿って設立した芯板６１の左右二箇所に窓孔６２，６２を開設してなる左右対称形状の接合金具主体６２’を用意するとともに、上記底板６０上に、接合しようとする梁４１，４１の端部４１’、４１’を、嵌合空処４７，４７を該接合金具主体６２’に嵌合させた状態で対向させて乗載し、２つ用意した上記打込み部材２６，２６を打込み部材受入孔４６，４６および窓孔６２，６２に挿入することにより完成される。
この接合構造によれば、二本の梁４１，４１を、それらの接合面４８，４８を互いに圧接して接合することができる。
【００３５】
続いて、本発明を柱の各側面への複数本の梁（横架材）の接合に適用した第３実施形態について図１１により説明する。本実施形態においても、梁および打込み部材は上記第１実施形態のものと同一なので、以下、同一の部分には同一の符号を付し、上記第１実施形態と異なる部分についてのみ簡単に述べる。
本実施形態では、十字に組んだ２枚の芯板７０，７０’を、その両端部を突出させた状態で柱４０’の内部に嵌合収納しておく。そして、上記各芯板７０，７０’の突出部分の中央に窓孔７２……を開設し、それらの突出部分の下端に底板７３……を取り付けることによって接合金具主体７０”を構成する。
この横架材接合構造は、上記接合金具主体７０”の底板７３……に、接合しようとする各梁４１……の端部４１’……を、嵌合空処４７を接合金具主体７０”の突出部分に嵌合させた状態で乗載し、該打込み部材受入孔４６……と、窓孔７２……に、上記打込み部材２６……を挿入することによって完成される。
この接合構造によれば、上記梁４１……を、それらの接合面４８……を上記柱４０’の側面に圧接して接合することができる。
【００３６】
次に、本発明を柱と土台との接合に適用した第４実施形態について簡単に説明する。本実施形態においては、打込み部材は上記第１実施形態のものと実質的に同一なので、以下、上記第１実施形態と異なる部分についてのみ述べる。
上記第１実施形態では、柱４０に固定した接合金具主体２０に、梁４１の端部４８に設けた嵌合空処４７を嵌合させて、柱４０と梁４１とを接合するようにしたが、本実施形態では、コンクリート基礎またはその上に乗載設置した横木等の土台の上面に、接合金具主体の取付け板を固定し、その取付け板の中心線に沿って一側端を固着している芯板を、垂直に起立させた状態とし、該芯板に柱の下端部に設けた嵌合空処を嵌合させる。
そして、その柱の側面に開口させた打込み部材受入孔と、それにほぼ一致した接合金具主体の窓孔とに、打込み部材２６を打ち込むことによって、柱・土台接合構造が完成する。
この接合構造によれば、上記柱を、その下端面を上記土台の上面に圧接して接合することができる。
【００３７】
【発明の効果】
以上述べたところから明らかなように、請求項１，２，３，４記載の本発明木造建築物の横架材接合構造によれば次の効果を奏する。
接合金具主体に横架材の端部を乗載して、打込み部材を打ち込むだけで、簡単に接合構造が完成できる。
【００３８】
また、打込み部材が、接合金具主体の芯板の窓孔の縁部と、梁の打込み部材受入孔の内壁面との間に挟持される状態となり、板バネが緩衝材として働くから、該接合構造は、力が加わっても壊れたり緩んだりすることがない。
しかも、打込み部材は、板バネ保持枠の嵌合溝が芯板の窓孔の縁部に嵌合するから、打込み部材受入孔から抜けてしまうことがない。
【００３９】
また、請求項５，６，７記載の本発明横架材接合用具によれば、力が加わっても壊れたり緩んだりしない接合構造を、簡単に完成させることができる。
【００４０】
請求項８記載の本発明柱・土台接合構造によれば、嵌合空処を接合金具主体に嵌合させた状態で、柱を土台上に乗載し、打込み部材を打ち込むだけで、簡単に接合構造が完成できる。
【００４１】
また、打込み部材が、接合金具主体の芯板の窓孔の縁部と、柱の打込み部材受入孔の内壁面との間に挟持される状態となり、板バネが緩衝材として働くから、該接合構造は、力が加わっても壊れたり緩んだりすることがない。
しかも、打込み部材は、板バネ保持枠の嵌合溝が芯板の窓孔の縁部に嵌合するから、打込み部材受入孔から抜けてしまうことがない。
【００４２】
請求項９の本発明柱・土台接合用具によれば、力が加わっても壊れたり緩んだりしない接合構造を、簡単に完成させることができる。
【図面の簡単な説明】
【図１】本発明横架材接合構造を柱と梁の接合に適用した第１実施形態の分解斜視図である。
【図２】同上の接合構造に用いる板バネ保持枠の斜視図である。
【図３】同上の板バネ保持枠に板バネを挿入してなる打込み部材の平面図である。
【図４】同上の正面図である。
【図５】梁の接合作業を示したもので、柱に固定した接合金具主体に横架材の端部を乗載した状態の側面図である。
【図６】同上の、打込み部材を挿入している状態を示す要部の切断端面図である。
【図７】同上の、打込み部材の挿入が完了した状態を示す要部の切断端面図である。
【図８】梁を柱から引き離す等の力が加わった状態を示す要部の切断端面図である。
【図９】梁を回動させる力が加わった状態を示す要部の切断端面図である。
【図１０】梁同士の接合に本発明を適用した第２実施形態の斜視図である。
【図１１】柱の各側面への複数本の梁の接合に本発明を適用した第３実施形態の斜視図である。
【図１２】従来の横架材と柱との接合構造を示した分解斜視図である。
【図１３】同上の接合構造に用いる用具の斜視図である。
【符号の説明】
２０，６２’，７０”          接合金具主体
２１，６０，７３……          底板
２２，６１，７０，７０’      芯板
２３          取付け板
２４，６２，６２，７２……    窓孔
２６          打込み部材
２７          板バネ
２８          板バネ保持枠
２９，３０    引掛片
３１          湾曲面
３２          板バネ保持スペース
３３          凸部
３３’        斜面
３４          嵌合溝
４１          梁（横架材）
４１’        端部
４４          縦溝
４５          扁平凹処
４６          打込み部材受入孔
４７          嵌合空処
４８          接合面
【図１】
0003548964.tif 000002
【図２】
0003548964.tif 000003
【図３】
0003548964.tif 000004
【図４】
0003548964.tif 000005
【図５】
0003548964.tif 000006
【図６】
0003548964.tif 000007
【図７】
0003548964.tif 000008
【図８】
0003548964.tif 000009
【図９】
0003548964.tif 000010
【図１０】
0003548964.tif 000011
【図１１】
0003548964.tif 000012
【図１２】
0003548964.tif 000013
【図１３】
0003548964.tif 000014